(57)【要約】【課題】  地震時に発生する地震エネルギーを吸収して建築物の揺れを抑制する免震アンカーボルト、及び同免震アンカーボルトを使用した建築物の免震構造を提供する。【解決手段】  地震エネルギーを吸収するための金属もしくは強化樹脂製のワイヤー状の高強度弾性体がその中腹部又は下方部を構成する免震アンカーボルトと、前記アンカーボルトの腹部を囲む金属もしくは強化樹脂製のコイル状弾性体を併せ備えた免震構造による。【選択図】  図５
2006016959.tif 000002
【特許請求の範囲】
【請求項１】
地震時に発生する垂直方向及び水平方向の地震エネルギーを吸収して、建築物で起こる揺れを抑える免震アンカーボルトであって、前記地震エネルギーを吸収するための高強度弾性体がアンカーボルトの中腹部又は下方部を構成してなることを特徴とする免震アンカーボルト。
【請求項２】
前記アンカーボルトの腹部を囲む弾性体を備えてなることを特徴とする請求項１に記載の免震アンカーボルト。
【請求項３】
前記アンカーボルトの腹部を囲む弾性体が、コイル状の金属製もしくは強化樹脂製の弾性体、又は板状のゴム様弾性体であることを特徴とする請求項１又は２に記載の免震アンカーボルト。
【請求項４】
前記高強度弾性体が、ワイヤー状の金属製もしくは強化樹脂製の弾性体からなり、その上部が、建築物の土台もしくは脚部に締付固定される上部ボルト部分に圧着されることによって前記上部ボルト部分と結合されてなることを特徴とする請求項１〜３のいずれか１項に記載の免震アンカーボルト。
【請求項５】
前記高強度弾性体が、ワイヤー状の金属製もしくは強化樹脂製の弾性体からなり、その下部が、建築物の基礎の中に埋め込まれる下部ボルト部分に圧着されることによって前記下部ボルト部分と結合されてなることを特徴とする請求項１〜４のいずれか１項に記載の免震アンカーボルト。
【請求項６】
前記高強度弾性体が、ワイヤー状の金属製もしくは強化樹脂製の弾性体からなり、その下部が、建築物の基礎の中に埋め込まれる部分の全体を構成してなることを特徴とする請求項１〜４に記載の免震アンカーボルト。
【請求項７】
前記コイル状の弾性体が、アンカーボルトを囲んで、建築物の土台もしくは脚部の中又は上に、上下方向に沿って押圧された状態で設けられ、かつ、前記建築物の土台もしくは脚部と基礎との間の部分に、前記アンカーボルトを囲む板状のゴム様弾性体が共に設けられている請求項３〜５のいずれか１項に記載の免震アンカーボルト。
【請求項８】
前記ワイヤー状の金属製の高強度弾性体がＰＣ鋼より線であることを特徴とする請求項４〜７のいずれか１項に記載の免震アンカーボルト。
【請求項９】
請求項１〜８のいずれか１項に記載の免震アンカーボルトの下方部が、建築物の基礎の中に埋め込まれてなることを特徴とする建築物の免震構造。
【請求項１０】
建築物のベタ基礎に凹設された長溝に、土台もしくは脚部がその外周を縁切りして挿設され、請求項１〜８のいずれか１項に記載の免震アンカーボルトの下方部が、建築物のベタ基礎の中に埋め込まれてなることを特徴とする建築物の免震構造。
【請求項１１】
建築物のベタ基礎に凹設された長溝と、土台もしくは脚部の外周の縁切り部分の側壁部空間に、ゴム、ウレタン、シリコン樹脂等の弾性樹脂が充填されてなることを特徴とする請求項１０に記載の建築物の免震構造。、
【発明の詳細な説明】
【技術分野】
【０００１】
本発明は、建築工事においてコンクリートや鉄筋コンクリートの基礎に、建築物の土台もしくは脚部を固定するのに用いられる免震性を備えたアンカーボルト、及び前記免震アンカーボルトを使用した建築物の免震構造に関するものである。
【背景技術】
【０００２】
従来、建築工事でコンクリート又は鉄筋コンクリートの基礎に埋め込まれるアンカーボルトは、図８の側面図に示すように、例えば、全体が丸鋼１で構成されていて、それの先端（下端）が図示のように例えばＬ字状（Ｕ字状の場合もある）に曲げられているか、あるいはアンカープレート（図示省略）に取り付けられているかする下方部の埋め込みボルト部１ｂと、その他端、すなわち上端に締付ネジ部１ｃが形成されている上部ボルト部１ａとからなる。
このアンカーボルト１を建築工事で使用するときには、下方部の埋め込みボルト部１ｂをコンクリート又は鉄筋コンクリートの基礎に埋め込む一方、締付ネジ部１ｃに締付ナット２を螺合し、この締付ナット２を締め付けることによって座金３を介して前記上部ボルト部１ａが鉄骨造又は木造の柱や壁の脚部又は土台を前記基礎にしっかり固定し緊結している。
【発明の開示】
【発明が解決しようとする課題】
【０００３】
しかし、上記従来技術のアンカーボルトによってコンクリート又は鉄筋コンクリートの基礎と建築物の土台もしくは脚部とを確実に固定したとしても、地震の時に起こる地面の振動は、基礎を経て直接建築物に伝わり、建築物の揺れを引き起こす。
したがって、本発明の課題は、この揺れを抑える機能を備えた免震アンカーボルトと該免震アンカーボルトを使用した建築物の免震構造を提供することである。
【課題を解決するための手段】
【０００４】
本発明者は、上記課題を次の手段で解決した。
（１）地震時に発生する垂直方向及び水平方向の地震エネルギーを吸収して、建築物で起こる揺れを抑える免震アンカーボルトであって、前記地震エネルギーを吸収するための高強度弾性体がアンカーボルトの中腹部又は下方部を構成してなることを特徴とする免震アンカーボルト。
【０００５】
（２）前記アンカーボルトの腹部を囲む弾性体を備えてなることを特徴とする前項（１）に記載の免震アンカーボルト。
【０００６】
（３）前記アンカーボルトの腹部を囲む弾性体が、コイル状の金属製もしくは強化樹脂製の弾性体、又は板状のゴム様弾性体であることを特徴とする前項（１）又は（２）に記載の免震アンカーボルト。
【０００７】
（４）前記高強度弾性体が、ワイヤー状の金属製もしくは強化樹脂製の弾性体からなり、その上部が、建築物の土台もしくは脚部に締付固定される上部ボルト部に圧着されることによって前記上部ボルト部と結合されてなることを特徴とする前項（１）〜（３）のいずれか１項に記載の免震アンカーボルト。
【０００８】
（５）前記高強度弾性体が、ワイヤー状の金属製もしくは強化樹脂製の弾性体からなり、その下部が、建築物の基礎の中に埋め込まれる下部ボルト部に圧着されることによって前記下部ボルト部と結合されてなることを特徴とする前項（１）〜（４）のいずれか１項に記載の免震アンカーボルト。
【０００９】
（６）前記高強度弾性体が、ワイヤー状の金属製もしくは強化樹脂製の弾性体からなり、その下部が、建築物の基礎の中に埋め込まれる部分の全体を構成してなることを特徴とする前項（１）〜（４）に記載の免震アンカーボルト。
【００１０】
（７）前記コイル状の弾性体が、アンカーボルトを囲んで、建築物の土台もしくは脚部の中又は上に、上下方向に沿って押圧された状態で設けられ、かつ、前記建築物の土台もしくは脚部と基礎との間の部分に、前記アンカーボルトを囲む板状のゴム様弾性体が共に設けられている前項（３）〜（５）のいずれか１項に記載の免震アンカーボルト。
【００１１】
（８）前記ワイヤー状の金属製の高強度弾性体がＰＣ鋼より線であることを特徴とする前項（４）〜（７）のいずれか１項に記載の免震アンカーボルト。
【００１２】
（９）前項（１）〜（８）のいずれか１項に記載の免震アンカーボルトの下方部が、建築物の基礎の中に埋め込まれてなることを特徴とする建築物の免震構造。
【００１３】
（１０）建築物のベタ基礎に凹設された長溝に、土台もしくは脚部がその外周を縁切りされて挿設され、前項（１）〜（８）のいずれか１項に記載の免震アンカーボルトの下方部が、建築物のベタ基礎の中に埋め込まれてなることを特徴とする建築物の免震構造。
【００１４】
（１１）建築物のベタ基礎に凹設された長溝と、土台もしくは脚部の外周の縁切り部分の側壁部空間に、ゴム、ウレタン、シリコン樹脂等の弾性樹脂が充填されてなることを特徴とする前項（１０）に記載の建築物の免震構造。
【発明の効果】
【００１５】
本発明によれば、建築物の耐震性を得るのに特に重要な位置を占める基礎構造において、コンクリート又は鉄筋コンクリートの基礎と建築物の土台もしくは脚部とを結合する役目のアンカーボルトに優れた免震性を付与することができるので、優れた免震性を備えた建築物を提供することができる。
【発明を実施するための最良の形態】
【００１６】
本発明の免震アンカーボルトの最良の実施の形態を、実施例の図に基づいて説明する。
【実施例１】
【００１７】
図１に本発明による免震アンカーボルトの一実施例の側面図を示した。図において１Ａは直径１６ｍｍの丸鋼からなるアンカーボルト、１Ａｂは前記アンカーボルト１Ａのコンクリート基礎の中に埋め込まれる部分すなわち下部ボルト部であって、図で分割表示した下部ボルト部１Ａｂの先端はＬ字状を呈している。また、１Ａａはアンカーボルト１Ａの上部ボルト部であり、その上端部には前記アンカーボルト１Ａを建築物の土台もしくは脚部（図示省略）に締付固定するための締付ナット２Ａを螺合する締付ネジ部１Ａｃが刻まれている。
さらに、前記上部ボルト部１Ａａ及び下部ボルト部１Ａｂの対向する端面には凹部５Ａａ及び５Ａｂが設けられており、これらの凹部５Ａａ、５Ａｂには、例えば、鋼線又は強化樹脂線の撚り線でなる直径１２ｍｍのワイヤー状弾性体４Ａの上部４Ａａ及び下部４Ａｂがそれぞれ挿入・圧着され、上部ボルト部１Ａａと下部ボルト部１Ａｂとがワイヤー状弾性体４Ａを介して一体的に結合されている。
【００１８】
上記構成のアンカーボルト１Ａによれば、コンクリート基礎の中に埋め込まれる下部ボルト部１Ａｂと、建築物の土台もしくは脚部に締付固定される上部ボルト部１Ａａとの両方に跨がってワイヤー状弾性体４Ａが設けられるので、地震時に建築物が基礎と土台もしくは脚部を通して受ける垂直方向の地震エネルギーはこのワイヤー４Ａの弾性によって吸収され、その結果、建築物の地震エネルギーによる揺れは効果的に抑えられる。
【実施例２】
【００１９】
図２に本発明による免震アンカーボルトの他の一実施例の側面図を示す。図において１Ｂは直径１６ｍｍの丸鋼からなるアンカーボルト、１Ｂｂは前記アンカーボルト１Ｂのコンクリート基礎の中に埋め込まれる部分すなわち下部ボルト部であり、その先端部分は図示されてはいないが実施例１と同様Ｌ字状を呈している。また、１Ｂａはアンカーボルト１Ｂの上部ボルト部であり、その上端部には前記アンカーボルト１Ｂを建築物の土台もしくは脚部（図示省略）に締付固定するための締付ナット２Ｂを螺合する締付ネジ部１Ｂｃが刻まれている。
このアンカーボルト１Ｂにおいても、前記上部ボルト部１Ｂａ及び下部ボルト部１Ｂｂの対向する端面に凹部５Ｂａ及び５Ｂｂが設けられており、これらの凹部５Ｂａ、５Ｂｂには、実施例１で述べたように、鋼線又は強化樹脂線の撚り線でなる直径１２ｍｍのワイヤー状弾性体４Ｂの上部４Ｂａ及び下部４Ｂｂがそれぞれ挿入・圧着され、上部ボルト部１Ｂａと下部ボルト部１Ｂｂとがワイヤー状弾性体４Ａを介して一体的に結合されている。
【００２０】
本実施例のアンカーボルト１Ｂにおいては、図示のように、ワイヤー状弾性体４Ｂの上部４Ｂａ及び下部４Ｂｂそれぞれの表面４Ｂａ’及び４Ｂｂ’はいずれも雄ネジ状に成形され、また前記上部ボルト部１Ｂａ及び下部ボルト部１Ｂｂの前記凹部５Ｂａ及び５Ｂｂの内側面５Ｂａ’及び５Ｂｂ’も、前記ワイヤー状弾性体の上部表面４Ｂａ’及び下部表面の４Ｂｂ’の雄ネジにそれぞれ螺合するよう雌ネジが成形されている。これらネジの螺合部を示すため、図２では、上部ボルト部１Ｂａの下端部及び下部ボルト部１Ｂｂの上端部の一部をそれぞれ切り取った状態で表示している。
【００２１】
また、上部ボルト部１Ｂａの上端部には、押さえ座金３Ｂａを押し下げてこのアンカーボルト１Ｂを土台もしくは脚部（図示省略）に締付固定する締付ナット２Ｂを螺合するための締付ネジ部１Ｂｃが刻まれている。
さらに前記上部ボルト部１Ｂａの下端部には、 受け座金３Ｂ’が前記上部ボルト部１Ｂａと一体に設けられ、そして前記受け座金３Ｂ’の上面に前記上部ボルト部１Ｂａを囲むようにコイル状の弾性体７Ｂが載置され、該コイル状弾性体７Ｂの上には押さえ座金３Ｂが摺動可能に載置されている。
【００２２】
前記締付ネジ部１Ｂｃに刻まれたネジに沿って締付ナット２Ｂを締め付けると、座金３Ｂａを介して建築物の土台もしくは脚部（図示省略）を押し下げるとともに、この土台もしくは脚部の下部に当接している押し座金３Ｂも押し下げるので、押し座金３Ｂと受け座金３ｂ’の間に配設されたコイル状弾性体７Ｂを押し縮め、免震に必要な反発力を前記コイル状弾性体７Ｂに付与することになる。
【００２３】
図２に示したアンカーボルト１Ｂは、鋼線又は強化樹脂線のより線でなるワイヤー状弾性体４Ｂの上部及び下部が、それぞれ上部ボルト部１Ｂａ及び下部ボルト部１Ｂｂに圧着されることによって上部ボルト部１Ｂａと下部ボルト部１Ｂｂとが互いに結合し、そしてさらにこのアンカーボルト１Ｂの一部を囲む鋼製のコイル状弾性体７Ｂと共に設けられる免震アンカーボルトの一例を示している。
【００２４】
このようなアンカーボルト１Ｂによれば、コンクリート基礎の中に埋め込まれる下部ボルト部１Ｂｂと、土台もしくは脚部に締付固定される上部ボルト部１Ｂａとの両方に跨がってワイヤー状弾性体４Ｂが設けられ、さらにアンカーボルト１Ｂの上下方向の地震エネルギーを吸収する鋼製のコイル状弾性体７Ｂがこのアンカーボルト１Ｂの周囲を囲んで設けられているので、地震時に建築物が基礎と土台を通して受ける垂直方向及び水平方向の地震エネルギーは、これらのワイヤー状弾性体４Ｂ及びコイル状弾性体７Ｂの両方によって吸収され、その結果、建築物が地震エネルギーによって受ける揺れを効果的に抑えることができる。
【実施例３】
【００２５】
図３に本発明による免震アンカーボルトの第３の実施例の側面図を示した。図において、１Ｃはアンカーボルト、１Ｃａは上部ボルト部であって、多数の鋼線又は強化樹脂線が束ねられた数本の鋼製又は強化樹脂製ワイヤーが互いに撚り合わされたワイヤー状弾性体４Ｃからなり、このワイヤー状弾性体４Ｃの下端部は、このワイヤー状弾性体４Ｃとコンクリート基礎との接触部分を多くして、この両者の間の結合が強固となるようにリング状を呈している。
【００２６】
本実施例も直径１６ｍｍの丸鋼からなる上部ボルト部１Ｃａの凹部５Ｃａに前記ワイヤー状弾性体４Ｃの上部４Ｃａが挿入・圧着され、ワイヤー４Ｃからなる下部ボルト部１Ｃｂと上部ボルト部１Ｃａとが結合され一体化されている。また、上部ボルト部１Ｃａの上端部には、本アンカーボルト１Ｃを建築物の土台もしくは脚部（図示省略）に締付固定するための締付ナット２Ｃを螺合するための締付ネジ部１Ｃｃが刻まれている。
【００２７】
このようなアンカーボルト１Ｃによれば、基礎の中に埋め込まれる下部ボルト部１Ｃｂの全体が前記ワイヤー状弾性体４Ｃで構成されているので、地震時に建築物が基礎と土台もしくは脚部を通して受ける垂直方向及び水平方向のの地震エネルギーはこのワイヤー４Ｃによって吸収されて、建築物が地震エネルギーによって受ける揺れは効果的に抑えられる。
なお、本実施例では基礎の中に埋め込まれるワイヤー状弾性体４Ｃの下部をリング状としたが、この形状に限られるものではなく、ワイヤー状弾性体を結んだ状態で埋め込むなど、ワイヤー状弾性体４Ｃとコンクリートの基礎との接触部分が多くなる形状であればよい。
【００２８】
次に上記免震アンカーボルトを使用した建築物の免震構造について、その実施例の図に基づいて説明する。
《免震構造１》
まず図４は図２に示した免震アンカーボルトを、建築物の基礎と土台もしくは脚部との間の部分に前記アンカーボルトを囲む板状のゴム様弾性体と共に用いた建築物の免震構造を示す垂直断面図である。
【００２９】
図４において、１Ｄは直径１６ｍｍの丸鋼からなるアンカーボルトであり、その下部ボルト部１Ｄｂはコンクリート基礎Ｓの中に埋め込まれている。一方、アンカーボルト１Ｄの上部ボルト部１Ｄａは土台もしくは脚部Ｔに穿設されたボルト孔に、その上端部に形成された締付ネジ部１Ｄｃの一部または全部が土台もしくは脚部Ｔの上に出るように挿入され、その突出部に座金３Ｄａと締付ナット２Ｄとが装着されている。
【００３０】
上部ボルト部１Ｄａと下部ボルト部１Ｄｂとは、図２に示した免震アンカーボルト１Ｂの場合と同様に、上部と下部がそれぞれ上部ボルト部１Ｄａと下部ボルト部１Ｄｂに圧着されたワイヤー状弾性体４Ｄによって結合されている。
【００３１】
前記土台もしくは脚部Ｔの下端部に設けられたコイル状弾性体収納溝Ｔａには、上部ボルト部１Ｄａの周囲を囲むコイル状弾性体７Ｄが押さえ座金３Ｄと受け座金３Ｄ’の間に設けられている。上部ボルト部１Ｄａと下部ボルト部１Ｄｂとの間で露出しているワイヤー状弾性体４Ｄの周りには、板状のゴム様弾性体８Ｄが配置されている。
【００３２】
このような免震構造は、次のようにして構築される。
１．アンカーボルト１Ｄの上部ボルト部１Ｄａとワイヤー状弾性体４Ｄの一部を露出させた状態で、アンカーボルト１Ｄの下部ボルト部１Ｄｂをコンクリート基礎Ｓの中に埋め込む。
２．板状のゴム様弾性体８Ｄに穿かれた孔に、露出させた上部ボルト部１Ｄａを貫通させて、該板状のゴム様弾性体８Ｄをコンクリート基礎Ｓに載置する。
３．上部ボルト部１Ｄａを貫通させる土台もしくは脚部Ｔのボルト孔の下端部に、締め付け前のコイル状弾性体７Ｄの高さより浅いコイル状弾性体収納溝Ｔａを加工・形成する。
４．前記ゴム様弾性体８Ｄ上に露出している上部ボルト部１Ｄａに受け座金３Ｄ’、コイル状弾性体７Ｄ及び押さえ座金３Ｄを順次還挿する。
５．上部ボルト部１Ｄａを土台もしくは脚部Ｔの前記ボルト孔に貫通させて、コイル状弾性体収納溝Ｔａの中にあるコイル状弾性体７Ｄを押さえ座金３Ｄと受け座金３Ｄ’との間に押圧・収納する。
６．土台もしくは脚部Ｔの上に突出した上部ボルト部１Ｄａの締付ネジ部１Ｄｃに螺合させた締付ナット２Ｄで座金３Ｄａを介して締め付け、土台もしくは脚部Ｔを基礎に固定する。
【００３３】
このような施工によって構築される建築物の免震構造は、次のようにして地震エネルギーの吸収を図ることができる。
１’．締付ナット２Ｄ及び土台もしくは脚部Ｔによって締め付けられたコイル状弾性体７Ｄ、押さえ座金３Ｄ、受け座金３Ｄ’、押さえ座金３Ｄａ及びワイヤー状弾性体４Ｄが、地震時に土台もしくは脚部Ｔに対して垂直方向及び水平方向に働く地震エネルギーを吸収する。
２’．ワイヤー状弾性体４Ｄの周りを囲んで土台もしくは脚部Ｔとコンクリート基礎Ｓとの間に設けられたゴム様弾性体８Ｄが、地震時に土台もしくは脚部Ｔに対して垂直方向及び水平方向に働く地震エネルギーを吸収する。
このようにして、建築物に対する垂直方向及び水平方向の地震エネルギーが吸収されて、地震エネルギーによって起こる建築物の揺れが効果的に抑えられる。
【００３４】
《免震構造２》
図５は、図４に示した免震構造に類似した第２の建築物の免震構造を示す垂直断面図である。
図５の免震構造が図４の免震構造と異なるのは、上部ボルト部１Ｅaを囲むコイル状弾性体７Ｅと、該コイル状弾性体７Ｅを収納するコイル状弾性体収納溝Ｔａとが土台もしくは脚部Ｔに穿設したボルト孔の上端部に設けられている点である。
【００３５】
すなわち、図５において、１Ｅは直径１６ｍｍの丸鋼からなるアンカーボルトであり、その下部ボルト部１Ｅｂはコンクリート基礎Ｓの中に埋め込まれている。一方、アンカーボルト１Ｅの上部ボルト部１Ｅａは土台もしくは脚部Ｔに穿設されたボルト孔に、その上端部に形成された締付ネジ部１Ｅｃの一部または全部が土台もしくは脚部Ｔの上に突き出るように挿入され、その突出部に座金３Ｅａと締付ナット２Ｅとが装着されている。
そして、このアンカーボルト１Ｅも、上部ボルト部１Ｅａと下部ボルト部１Ｅｂとは、それぞれの端面凹部に挿入・圧着されたワイヤー状弾性体４Ｅによって結合されている。
【００３６】
前記土台もしくは脚部Ｔに穿設されたボルト孔の上端部に設けられたコイル状弾性体収納溝Ｔａには、上から締付ナット２Ｅと押さえ座金３Ｅによって締付られるように、コイル状弾性体７Ｅが収納され、そしてコイル状弾性体７Ｅ及び座金３Ｅの押圧力を受けるコイル状弾性体収納溝Ｔａ及び土台もしくは脚部Ｔを補強するためのコイル状弾性体受け補強座金３Ｅ’がコイル収納溝Ｔｂの内面及び土台もしくは脚部Ｔの上面にわたって設けられている。
また、上部ボルト部１Ｅａと下部ボルト部１Ｅｂとの間で露出しているワイヤー状弾性体４Ｅの周りには、板状のゴム様弾性体８Ｅが配置されている。
【００３７】
このような免震構造は、次のようにして構築される。
１．アンカーボルト１Ｅの上部ボルト部１Ｅａとワイヤー４Ｅの一部を露出させた状態で、アンカーボルト１Ｅの下部ボルト部１Ｅｂをコンクリート基礎Ｓの中に埋め込む。
２．板状のゴム様弾性体８Ｅに穿たれた孔に、上記の露出させた上部ボルト部１Ｅａを貫通させて、該板状のゴム様弾性体８Ｅをコンクリート基礎Ｓに載置する。
３．上部ボルト部１Ｅａを貫通させる土台もしくは脚部Ｔのボルト孔の上端部分周囲に、締めつけ前のコイル状弾性体７Ｅの高さより浅いコイル状弾性体収納溝Ｔａを加工・形成する。
４．土台もしくは脚部Ｔのボルト孔に、前記露出した上部ボルト部１Ｅａを貫通させ、該土台もしくは脚部Ｔを板状のゴム様弾性体８Ｅの上に載置する。
５．コイル状弾性体収納溝Ｔｂの内面及び土台もしくは脚部Ｔの上面にわたってコイル状弾性体受け補強座金３Ｅ’を被せる。
６．コイル状弾性体収納溝Ｔｂの中に突き出した上部ボルト部１Ｅａに、、コイル状弾性体７Ｅ及び押さえ座金３Ｅを順次還挿した後、コイル状弾性体受け補強座金３Ｅ’の上面と押さえ座金３Ｅの上面とがほぼ同一平面状に並ぶように、上部ボルト部１Ｅａの締付ネジ部１Ｅｃに螺合させた締付ナット２Ｅを締め付けコイル状弾性体７Ｅを押圧する。
【００３８】
このような施工によって構築される免震構造は、次のようにして地震エネルギーの吸収を図ることができる。
１’．締付ナット２Ｅで締め付けられたコイル状弾性体受け補強座金３Ｅ’、コイル状弾性体７Ｅ、押さえ座金３Ｅ、及びワイヤー状弾性体４Ｅが、地震時に土台もしくは脚部Ｔに対して垂直方向及び水平方向に働く地震エネルギーを吸収する。
２．ワイヤー状弾性体４Ｅの周りを囲んで土台もしくは脚部Ｔとコンクリート基礎Ｓとの間に設けられた板状のゴム様弾性体８Ｅが、地震時に土台もしくは脚部Ｔに対して垂直方向及び水平方向に働く地震エネルギーを吸収する。
このようにして、建築物に対する垂直方向及び水平方向の地震エネルギーが吸収されて、地震エネルギーによって起こる建築物の揺れが効果的に抑えられる。
【００３９】
《免震機構３》
図６は、図４及び図５に示した免震構造に類似した免震構造の垂直断面図であって、アンカーボルトを囲むコイル状弾性体が土台もしくは脚部Ｔの中でなく、それらの上に設けられている点が、図４及び図５の免震構造と異なる。
【００４０】
図６において、直径１６ｍｍの丸鋼からなるアンカーボルト１Ｆの下部ボルト部１Ｆｂはコンクリート基礎Ｓの中に埋め込まれている。一方アンカーボルト１Ｆの上部ボルト部１Ｆａの締付ネジ部１Ｆｃの先端は土台もしくは脚部Ｔの上に出されて、この上部ボルト部１Ｆａは土台もしくは脚部Ｔの中に挿入される。
【００４１】
このアンカーボルト１Ｆにおいても、上部ボルト部１Ｆａと下部ボルト部１Ｆｂとは、上部と下部がそれぞれ上部ボルト部１Ｅａと下部ボルト部１Ｅｂに圧着された、例えば、前述のようなワイヤー状弾性体４Ｆを介して結合されている。
【００４２】
前記土台もしくは脚部Ｔの上に突き出ている締付ネジ部１Ｆｃには、この締付ネジ部１Ｆｃを囲むようにコイル状弾性体７Ｆが押さえ座金３Ｆと受け座金３Ｆ’との間に設けられ、この押さえ座金３Ｆの上では、この押さえ座金３Ｆを押圧してコイル状弾性体７Ｆを締め付けるためのナット２Ｆが締付ネジ部１Ｆｃに螺合している。上部ボルト部１Ｆａと下部ボルト部１Ｆｂとの間で露出したワイヤー状弾性体４Ｆの周りには、耐震性のゴム８Ｆが配置されている。
【００４３】
このような免震構造は、次のようにして構築される。
１．アンカーボルト１Ｆの上部ボルト部１Ｆａとワイヤー状弾性体４Ｅの一部を露出させた状態で、アンカーボルト１Ｆの下部ボルト部１Ｆｂをコンクリート基礎Ｓの中に埋め込む。
２．板状のゴム様弾性体８Ｆに開けられた孔に、露出させた上部ボルト部１Ｆａを貫通させて、前記板状のゴム様弾性体８Ｆをコンクリート基礎Ｓの上に載置する。
３．土台もしくは脚部Ｔに穿設されたボルト孔に、上記の露出させた上部ボルト部１Ｆａを貫通させて、この土台もしくは脚部Ｔをゴム様弾性体８Ｆの上に載置する。
４．受け座金３Ｆ’、コイル状弾性体７Ｆ及び押さえ座金３Ｆを上部ボルト部１Ｆａの締付ネジ部１Ｆｃに貫通させた後、締付ネジ部１Ｆｃに螺合させた締付ナット２Ｆでコイル状弾性体７Ｆ及び押さえ座金３Ｆを受け座金３Ｆ’に対して締め付ける。
【００４４】
このような施工によって設けられる免震構造によれば、次のようにして地震エネルギーの吸収を図ることができる。
１’．締付ナット２Ｆでそれぞれ締め付けられた受け座金３Ｆ’、コイル状弾性体７Ｆ、押さえ座金３Ｆ、及びワイヤー状弾性体４Ｆが、地震時に土台もしくは脚部Ｔに対して垂直方向及び水平方向に働く地震エネルギーを吸収する。
２’．ワイヤー状弾性体４Ｆの周りを囲んで土台もしくは脚部Ｔとコンクリート基礎Ｓとの間に設けられたゴム様弾性体８Ｆが、地震時に土台もしくは脚部Ｔに対して垂直方向及び水平方向に働く地震エネルギーを吸収する。
このようにして、建築物に対する垂直方向及び水平方向の地震エネルギーが吸収されて、地震エネルギーによって起こる建築物の揺れは効果的に抑えられる。
【００４５】
《免震構造４》
図７は建築物のベタ基礎に凹設された長溝に、その外周を縁切りされた土台もしくは脚部が挿設され、図５に示す免震アンカーボルト複数本の下方部が建築物のベタ基礎の中に埋め込まれ、かつ建築物のベタ基礎に凹設された長溝と、土台もしくは脚部の外周の縁切り部分の側壁部空間に、ゴム、ウレタン、シリコン樹脂等の弾性樹脂が充填されてなる免震構造の垂直断面図である。
図７の免震構造は、ベタ基礎Ｓ’に凹設された長溝に、外周を縁切りされた土台もしくは脚部Ｔ’を挿入し、その下部ボルト部１ｂが前記ベタ基礎Ｓ’に埋め込まれている複数本の免震アンカーボルト１で前記ベタ基礎Ｓ’と結合し、その後長溝の内側面と縁切りされた土台もしくは脚部Ｔ’の側面との間の空間Ｖにゴム、ウレタン、シリコン樹脂当の弾性樹脂Ｕを充填して構築される。また、コイル状弾性体収納溝Ｔａにも、ウレタン、シリコン樹脂等の弾性樹脂を充填することによって、外部からの異物や雨水の浸入を阻止することも好ましい。
なお、免震アンカーボルト１による基礎Ｓ’と土台もしくは脚部Ｔ’との結合手順、及び免震構造による地震エネルギーの吸収効果については、《免震構造２》で記述したとおりであり、ここでは詳述を省略する。
なお、ベタ基礎Ｓ’の内側壁面と縁切りされた土台もしくは脚部Ｔ’の側面との間の空間Ｖに充填したゴム、ウレタン、シリコン樹脂などの弾性樹脂Ｕも地震エネルギーの吸収に役立っているのは言うまでもない。
【００４６】
本実施例では、図５に示す免震構造を使用した例で説明したが、これに限るものではなく、図４又は図６に示した構造の免震構造の使用も可能である。
【図面の簡単な説明】
【００４７】
【図１】本発明による免震アンカーボルトの一実施例の側面図
【図２】本発明による免震アンカーボルトの他の実施例の側面図
【図３】本発明による免震アンカーボルトの第３の実施例の側面図
【図４】図２に示した免震アンカーボルトを建築物の基礎と土台もしくは脚部との間の部分に前記アンカーボルトを囲む板状のゴム様弾性体と共に用いた建築物の免震構造を示す垂直断面図
【図５】図４に示した免震構造に類似した免震構造の垂直断面図
【図６】図４及び図５に示した免震構造に類似した免震構造の垂直断面図
【図７】建築物のベタ基礎に凹設された長溝に、その外周を縁切りされた土台もしくは脚部が挿設され、図５に示した免震アンカーボルト複数本と板状のゴム様弾性体及び建築物のベタ基礎に凹設された長溝と、土台もしくは脚部の外周の縁切り部分の側壁部空間に、ゴム、ウレタン、シリコン樹脂等の弾性樹脂を充填してなる免震構造の垂直断面図
【図８】従来のアンカーボルトの一例を示す側面図
【符号の説明】
【００４８】
１、１Ａ、１Ｂ、１Ｃ、１Ｄ、１Ｅ、１Ｆ：アンカーボルト
１ａ、１Ａａ、１Ｂａ、１Ｃａ、１Ｄａ、１Ｅａ、１Ｆａ：上部ボルト部
１ｂ、１Ａｂ、１Ｂｂ、１Ｃｂ、１Ｄｂ、１Ｅｂ、１Ｆｂ：下部ボルト部
１ｃ、１Ａｃ、１Ｂｃ、１Ｃｃ、１Ｄｃ、１Ｅｃ、１Ｆｃ：締付ネジ部
２、２Ａ、２Ｂ、２Ｃ、２Ｄ、２Ｅ、２Ｆ：締付ナット
３、３Ｂ、３Ｂａ、３Ｄ、３Ｄａ、３Ｅ、３Ｆ、３３：押さえ座金
３Ｂ’３Ｄ’、３Ｆ’：受け座金
３Ｅ’：コイル状弾性体受け補強座金
４、４Ａ、４Ｂ、４Ｃ、４Ｄ、４Ｅ、４Ｆ：ワイヤー状弾性体
４Ｂａ：ワイヤー状弾性体の上部
４Ｂｂ：ワイヤー状弾性体の下部
４Ｂａ’、４Ｂｂ’：ワイヤー状弾性体の雄ネジ部
５Ａａ、５Ｂａ：凹部
５Ａａ’、５Ｂａ’：凹部の雌ネジ
７Ａ、７Ｂ、７Ｄ、７Ｅ、７Ｆ：コイル状弾性体
８Ｄ、８Ｅ、８Ｆ：板状のゴム様弾性体
Ｓ：・基礎
Ｓ’：ベタ基礎
Ｔ：土台もしくは脚部
Ｔ’：外周を縁切りされた土台もしくは脚部
Ｔａ：コイル状弾性体収納溝
Ｕ：ゴム、ウレタン、シリコン樹脂等の弾性樹脂
Ｖ：ベタ基礎に凹設された長溝と、土台もしくは脚部の外周の縁切り部分の側壁部空間
【図１】
2006016959.tif 000003
【図２】
2006016959.tif 000004
【図３】
2006016959.tif 000005
【図４】
2006016959.tif 000006
【図５】
2006016959.tif 000007
【図６】
2006016959.tif 000008
【図７】
2006016959.tif 000009
【図８】
2006016959.tif 000010